(57)【特許請求の範囲】
【請求項１】
少なくとも芯線供給用のサプライヤー１０と、この供給されてくる芯線を下流に繰り出す繰出器２０と、前記芯線にテンションをかけるテンショナーと、供給されてくる芯線を溶融合成樹脂で被覆するための電線被覆装置５０と、被覆電線を冷却する冷却水槽１００と、冷却済みの被覆電線を引き取る引取機８０と、冷却済みの被覆電線を巻き取る為の巻取機１５０が少なくとも配列されてなる電線被覆製造ラインを備える電線被覆機に用いられる冷却水槽１００で、
前記冷却水槽１００内には、１対のプ−リ１０１、１０２間に前記芯線を溶融合成樹脂で被覆した直後の高温状態の被覆電線を複数回にわたりスパイラル状に巻き付け、連続走行するように一対のプ−リ１０１、１０２がその軸線が被覆電線の走行方向を横断し水平として、間隔をおいて配置され、
前記一対のプーリ１０１、１０２のうち、前記電線被覆装置５０寄りに位置する一方のプーリ１０１は少なくともその一部が前記冷却水中に水没し、他方のプーリ１０２の一部は前記冷却水面上に位置し、冷却水槽１００内に貯留してある冷却水中と外気との間を被覆電線が繰り返し走行するための走行路が１対のプ−リ１０１、１０２間に形成されているとともに、一対のプ−リ１０１、１０２間に前記芯線を溶融合成樹脂で被覆した直後の高温状態の被覆電線を複数回にわたりスパイラル状に巻き付ける以前に、前記冷却水槽１００の水面上において、この被覆電線をその外周面で冷却水と接触させ、予備冷却する予備冷却装置１０３が前記冷却水槽１００内に配備され、
前記予備冷却装置１０３は、前記電線被覆装置５０寄りにおいて被覆電線冷却用の樋１０４と、この樋１０４の下流端側に位置する他方のプーリ１０２の外周面上で、このプーリ１０２への巻き取り箇所に冷却水を散布し冷却する散布ノズル１０５を備え、
前記樋１０４内を流れる冷却水でこの樋１０４内を走行中の前記被覆電線を冷却するよう構成した電線被覆機に用いられる冷却水槽１００において、
前記樋１０４の下流端側に位置する他方のプーリ１０２は、前記樋１０４の下流端側から出てくる被覆電線をこの樋１０４と同一高さで受け取る大径部１０６と、この大径部１０６と同心の小径部１０７とからなり、前記電線被覆装置５０寄りに位置する一方のプーリ１０１と前記他方のプーリ１０２の小径部１０７は同一の直径を有し、この他方のプーリ１０２の軸線は前記一方のプーリ１０１の軸線より高位に位置し、前記一方のプーリ１０１と他方のプーリ１０２の小径部１０７間に前記被覆電線が水面を横切り傾斜して走行可能としてあることを特徴とする被覆電線冷却水槽。
【発明の詳細な説明】
【技術分野】
【０００１】  本発明は、被覆電線冷却水槽に関する。
【背景技術】
【０００２】  従来、電線被覆方法は、少なくとも芯線供給工程と、この供給されてくる芯線を下流に繰り出す工程と、芯線を溶融合成樹脂で被覆する工程と、この処理済の被覆電線を引き取る工程と、被覆電線を冷却する工程と、冷却済みの被覆電線を巻き取る工程を１直線の製造ライン上で行っている。【０００３】  また従来の電線被覆装置では、芯線供給用のサプライヤーから繰り出された芯線が横型押出機に導入される。横型押出機では、投入された熱可塑性樹脂を加熱溶融状態とし、この樹脂で芯線表面に被覆を形成させる。処理後の被覆電線は、長尺の横型冷却水槽に導入され、この工程で水冷されて被覆が凝固定着される。横型冷却水槽を出た被覆電線は、複数個のプーリからなる貯線部を経由して、被覆電線引取器で巻き取られる構成になっている。貯線部はアキュームレータ装置と称され、電線の供給量と引出量との不均衡を一時的に吸収するためのものである。従来の貯線部は、電線を離間方向または近接方向に相互移動する複数のプーリ群間に複数回往復させて、この行程にて貯線する構成になっている（特許文献１の図７参照）。
【特許文献１】  特開平８−１５３４２８号公報
【発明の開示】
【発明が解決しようとする課題】
【０００４】  上記のように従来の電線被覆機では、押出成形後の高温度の被覆電線を、横型すなわち水平方向に伸びた冷却水槽に浸し、水平方向に渡して水平移動させ、冷却していた。しかしながら、最近、押出速度が上昇するにつれて、それに伴いさらに長寸法の冷却水槽が要求されるに至り、よって電線被覆機の設置面積が増大してコスト増加の原因となっていた。さらに、水平方向に冷却距離が伸びる結果として、電線を橈ませることなく張り続けるためにより強力な電線牽引を行わねばならず、強力な駆動源を備えたキャプスタンが必要となり、設備コストとともに運転コストも増加するという欠点があった。加えて前記の強力な電線牽引の結果、十分に冷却定着していない被覆部に強力な力がかかることによる、被覆部の変形という好ましくない事態を招くこともあった。
さらに、貯線部も水平方向に伸びる構造の結果、同様に設置面積が増大する傾向にあった。【０００５】  本発明はこのような従来技術における課題や欠点を解決するもので、その目的は冷却水槽での冷却方式を改良し、冷却水槽での被覆電線の冷却時間を長く取れるようにし、被覆電線機の設置面積長さを縮小化して高効率の電線被覆を行える被覆電線の冷却水槽を提供することを目的とする。
【課題を解決するための手段】
【０００６】  前記課題を解決する為に、特定発明は少なくとも芯線供給用のサプライヤー１０と、この供給されてくる芯線を下流に繰り出す繰出器２０と、前記芯線にテンションをかけるテンショナーと、供給されてくる芯線を溶融合成樹脂で被覆するための電線被覆装置５０と、被覆電線を冷却する冷却水槽１００と、冷却済みの被覆電線を引き取る引取機８０と、冷却済みの被覆電線を巻き取る為の巻取機１５０が少なくとも配列されてなる電線被覆製造ラインを備える電線被覆機に用いられる冷却水槽１００で、
前記冷却水槽１００内には、１対のプ−リ１０１、１０２間に前記芯線を溶融合成樹脂で被覆した直後の高温状態の被覆電線を複数回にわたりスパイラル状に巻き付け、連続走行するように一対のプ−リ１０１、１０２がその軸線が被覆電線の走行方向を横断し水平として、間隔をおいて配置され、
前記一対のプーリ１０１、１０２のうち、前記電線被覆装置５０寄りに位置する一方のプーリ１０１は少なくともその一部が前記冷却水中に水没し、他方のプーリ１０２の一部は前記冷却水面上に位置し、冷却水槽１００内に貯留してある冷却水中と外気との間を被覆電線が繰り返し走行するための走行路が１対のプ−リ１０１、１０２間に形成されているとともに、一対のプ−リ１０１、１０２間に前記芯線を溶融合成樹脂で被覆した直後の高温状態の被覆電線を複数回にわたりスパイラル状に巻き付ける以前に、前記冷却水槽１００の水面上において、この被覆電線をその外周面で冷却水と接触させ、予備冷却する予備冷却装置１０３が前記冷却水槽１００内に配備され、
前記予備冷却装置１０３は、前記電線被覆装置５０寄りにおいて被覆電線冷却用の樋１０４と、この樋１０４の下流端側に位置する他方のプーリ１０２の外周面上で、このプーリ１０２への巻き取り箇所に冷却水を散布し冷却する散布ノズル１０５を備え、
前記樋１０４内を流れる冷却水でこの樋１０４内を走行中の前記被覆電線を冷却するよう構成した電線被覆機に用いられる冷却水槽１００において、
前記樋１０４の下流端側に位置する他方のプーリ１０２は、前記樋１０４の下流端側から出てくる被覆電線をこの樋１０４と同一高さで受け取る大径部１０６と、この大径部１０６と同心の小径部１０７とからなり、前記電線被覆装置５０寄りに位置する一方のプーリ１０１と前記他方のプーリ１０２の小径部１０７は同一の直径を有し、この他方のプーリ１０２の軸線は前記一方のプーリ１０１の軸線より高位に位置し、前記一方のプーリ１０１と他方のプーリ１０２の小径部１０７間に前記被覆電線が水面を横切り傾斜して走行可能としてあることを特徴とする被覆電線冷却水槽としてある。
【発明の効果】
【０００７】  請求項１記載の発明においては、少なくとも芯線供給用のサプライヤー１０と、この供給されてくる芯線を下流に繰り出す繰出器２０と、前記芯線にテンションをかけるテンショナーと、供給されてくる芯線を溶融合成樹脂で被覆するための電線被覆装置５０と、被覆電線を冷却する冷却水槽１００と、冷却済みの被覆電線を引き取る引取機８０と、冷却済みの被覆電線を巻き取る為の巻取機１５０が少なくとも配列されてなる電線被覆製造ラインを備える電線被覆機に用いられる冷却水槽１００で、
前記冷却水槽１００内には、１対のプ−リ１０１、１０２間に前記芯線を溶融合成樹脂で被覆した直後の高温状態の被覆電線を複数回にわたりスパイラル状に巻き付け、連続走行するように一対のプ−リ１０１、１０２がその軸線が被覆電線の走行方向を横断し水平として、間隔をおいて配置され、
前記一対のプーリ１０１、１０２のうち、前記電線被覆装置５０寄りに位置する一方のプーリ１０１は少なくともその一部が前記冷却水中に水没し、他方のプーリ１０２の一部は前記冷却水面上に位置し、冷却水槽１００内に貯留してある冷却水中と外気との間を被覆電線が繰り返し走行するための走行路が１対のプ−リ１０１、１０２間に形成されているとともに、一対のプ−リ１０１、１０２間に前記芯線を溶融合成樹脂で被覆した直後の高温状態の被覆電線を複数回にわたりスパイラル状に巻き付ける以前に、前記冷却水槽１００の水面上において、この被覆電線をその外周面で冷却水と接触させ、予備冷却する予備冷却装置１０３が前記冷却水槽１００内に配備され、
前記予備冷却装置１０３は、前記電線被覆装置５０寄りにおいて被覆電線冷却用の樋１０４と、この樋１０４の下流端側に位置する他方のプーリ１０２の外周面上で、このプーリ１０２への巻き取り箇所に冷却水を散布し冷却する散布ノズル１０５を備え、
前記樋１０４内を流れる冷却水でこの樋１０４内を走行中の前記被覆電線を冷却するよう構成した電線被覆機に用いられる冷却水槽１００において、
前記樋１０４の下流端側に位置する他方のプーリ１０２は、前記樋１０４の下流端側から出てくる被覆電線をこの樋１０４と同一高さで受け取る大径部１０６と、この大径部１０６と同心の小径部１０７とからなり、前記電線被覆装置５０寄りに位置する一方のプーリ１０１と前記他方のプーリ１０２の小径部１０７は同一の直径を有し、この他方のプーリ１０２の軸線は前記一方のプーリ１０１の軸線より高位に位置し、前記一方のプーリ１０１と他方のプーリ１０２の小径部１０７間に前記被覆電線が水面を横切り傾斜して走行可能としてあることにより、
芯線を溶融合成樹脂で被覆した後、被覆電線を冷却する際に、冷却水槽内に貯留してある冷却水中での水冷却と、冷却水の水面上での外気との接触に伴う冷却水の蒸発による潜熱冷却作用とを移送中の被覆電線に少なくとも一回付与でき、所定温度に冷却することができ、その結果、冷却水槽での被覆電線の冷気時間を長く取れ、電線被覆機の設置面積乃至長さを減縮し高効率の電線被覆を行うことができる
【発明を実施するための最良の形態】
【０００８】  請求項１記載の冷却水槽の発明の代表的な実施の形態を説明する。図１、図２において、電線被覆機Ｂにおける電線被覆製造ラインは平面Ｕ字型乃至コ字型に形成され、芯線供給ラインである第１ライン４０と、前記第１ライン４０とほぼ並列でこの第１ライン４０に連なり、その供給方向が１８０度異なる第２ライン１６０とを備える。芯線供給用のサプライヤー１０と、この供給されてくる芯線Ａを下流に繰り出す繰出器２０と、この芯線Ａを予熱する予熱機３０とが同一の前記第１ライン４０上にこの順序で上流から下流にわたり配列されている。この供給されてくる芯線を溶融合成樹脂で被覆するための電線被覆装置５０と、リングマーキング装置６０、ロールマーキング装置７０、外形測定機９０、冷却水槽１００、引取機８０、アキュームレーター装置１１０、偏芯検出器１２０、スパークテスター１３０、検尺機１４０、巻取機１５０が前記第２ライン１６０上にこの順序で上流から下流にわたり配列されている。このアキュームレーター装置１１０は冷却水槽１００の後方に配置されている。更に、外形測定機９０は前記冷却水槽１００の側壁に設けられている。前記第１ライン４０における最下流機器である予熱機３０と前記第２ライン１６０における最上流機器である電線被覆装置５０とに亘り移送される芯線Ａにテンションをかけるテンショナー１７０が、前記第１ライン４０と前記第２ライン１６０間に配置されている。このようにして前記電線被覆機Ｂが構成されている。
なお、前記電線被覆製造ラインは一直線状に形成されている場合もある。【０００９】  図３、図４において、前記冷却水槽１００内には、１対のプ−リ１０１、１０２間に前記芯線を溶融合成樹脂で被覆した直後の高温状態の被覆電線を複数回にわたりスパイラル状に巻き付け、連続走行するように一対のプ−リ１０１、１０２がその軸線が被覆電線の走行方向を横断し水平として、間隔をおいては配置されている。前記一対のプーリ１０１、１０２のうち、前記外形測定機９０寄りに位置する一方のプーリ１０１は少なくともその一部が前記冷却水中に水没し、他方のプーリ１０２の一部は前記冷却水面上に位置し、この走行中に冷却水槽１００内に貯留してある冷却水中での接触冷却と濡れた被覆電線を外気との接触に伴う冷却水の蒸発による潜熱作用で走行中の被覆電線を冷却する構成としてある。
すなわち、冷却水槽１００内に貯留してある冷却水中と外気との間を被覆電線が繰り返し走行するための走行路が１対のプ−リ１０１、１０２間に形成されている。
例えば前記電線被覆装置５０寄り、即ち前記外形測定機９０寄りに位置する一方のプーリ１０１は前記冷却水中に半没し、他方のプーリ１０２のほぼ３分の２以上の部分は前記冷却水面上に位置する。【００１０】  一対のプ−リ１０１、１０２間に前記芯線を溶融合成樹脂で被覆した直後の高温状態の被覆電線を複数回にわたりスパイラル状に巻き付ける以前に、前記冷却水槽１００の水面上において、この被覆電線をその外周面で冷却水と接触させ、予備冷却する予備冷却装置１０３が前記冷却水槽１００内に配備されている。【００１１】  前記予備冷却装置１０３は、前記外形測定機９０寄りにおいて被覆電線冷却用の樋１０４と、この樋１０４の下流端側に位置し他方のプーリ１０２の外周面上で、このプーリ１０２への巻き取り箇所に冷却水を散布し冷却する散布ノズル１０５とを備え、前記樋１０４内を流れる冷却水でこの樋１０４内を走行中の前記被覆電線を冷却するよう構成した。
前記樋１０４は、断面Ｕ字型とし、その被覆電線を受け取る高さは、前記外形測定機９０から搬出されてくる被覆電線の高さと同一とし、この樋１０４の入り口には冷却水供給ノズル１０９の先端が前記樋の底面に向けて配置されている。【００１２】  前記樋１０４の下流端側に位置する他方のプーリ１０２は、前記樋１０４の下流端側から出てくる被覆電線をこの樋１０４と同一高さで受け取る大径部１０６と、この大径部と１０６同心の小径部１０７とからなり、前記外形測定機９０寄りに位置する一方のプーリ１０１と前記他方のプーリ１０２の小径部１０７は同一の直径を有し、この他方のプーリ１０２の軸線は前記一方のプーリ１０１の軸線より高位に位置し、前記一方のプーリ１０１と他方のプーリ１０２の小径部１０７間に前記被覆電線が水面を横切り傾斜して走行可能としてある。【００１３】  前記一対のプーリ１０１、１０２は、前記引取機８０の引き取り力若しくは前記巻取機１５０の巻取力により連れ回り可能に前記冷却水槽１００内に軸支されている。【００１４】  前記冷却済みの被覆電線にエアを吹き付け、付着している水分を除去すると共に、前記冷却水槽１００内に外気を取り込むためのエアブラシ装置１０８が、前記冷却水槽１００に配備されている。【００１５】  前記冷却水槽１００の水位を一定に維持する水位調整装置１８０が配備されている。前記水位調整装置１８０は、前記冷却水槽１００の水位を所望高さに設定する上下軸線方向でスライド可能に配備されたオーバーフロー管１８１を備え、このオーバーフロー管１８１の上端は前記冷却水槽１００内に位置し、その下端は冷却水排水タンク１８２内で、その下限水位位置に位置し、この排水タンク１８２には排水ポンプ１８３が接続され、更にこの排水タンク１８２の側壁には、その上限水位位置に第二のオーバーフロー部１８４が設けられている。冷却水槽１００の上面は開放しておくか、或いは上面が閉じているときは、水面上の空間は換気をし、若干負圧とし、蒸発を促進させることが好ましい。【００１６】  前記のように構成した冷却水槽１００の作用を説明する。
芯線供給用のサプライヤー１０による芯線供給工程と、この供給されてくる芯線Ａを下流に繰出器２０により繰り出す工程と、この芯線を予熱機３０で予熱する工程を同一の第１ライン４０上にこの順序で上流から下流にわたり行う。次いで、前記第１ライン４０における最下流機器である前記予熱機３０と前記第２ライン１６０における最上流機器である前記電線被覆装置５０とに亘り移送される前記芯線Ａにテンショナー１７０によりテンションをかける。前記第２ライン１６０において、前記テンションをかけた状態で前記電線被覆装置５０に供給されてくる芯線Ａ周囲を、前記一方の押出機５１、クロスダイヘッドにより溶融合成樹脂で被覆する工程と、必要に応じて、前記他方の押出機５２により前記被覆電線の外周面の全面乃至一部に着色する工程と、前記リングマーキング装置６０により被覆電線の周方向に電線の径，メーカ名などをマーキングする工程と、前記ロールマーキング装置７０により被覆電線の長手方向に品番などをマーキングする工程と、前記外形測定機９０による外形測定工程と、冷却水槽１００により被覆電線を冷却する工程と、前記引取機８０による引取り工程と、冷却済みの被覆電線を前記アキュームレーター装置１１０により貯留する工程と、前記偏芯検出器１２０による偏芯検出工程と、前記スパークテスター１３０によるスパーク試験工程と、前記検尺機１４０による長さ測定工程と、冷却済みの被覆電線を前記巻取機１５０により巻き取る工程を、前記第１ライン４０とほぼ並列で第１ライン４０に連なりその方向が１８０度異なる第２ライン１６０上においてこの順序で上流から下流にわたり行う。【００１７】  前記芯線を溶融合成樹脂で被覆した後、被覆電線を冷却する際に、冷却水槽１００内に貯留してある冷却水中での水冷却と、冷却水の水面上での外気との接触に伴う冷却水の蒸発による潜熱冷却作用とを移送中の被覆電線に少なくとも一回付与して、所望温度に冷却する。【００１８】  更に具体的に説明すれば、芯線を溶融合成樹脂で被覆する工程と冷却済みの被覆電線を巻き取る工程との間において行われる被覆電線の冷却工程は、１対のプ−リ１０１、１０２間に前記芯線を溶融合成樹脂で被覆した直後の高温状態の被覆電線を複数回にわたりスパイラル状に巻き付け、前記一方のプーリ１０１の一部を前記被覆電線とともに冷却水槽１００内に貯留してある冷却水中に浸漬し、冷却水と接触させて冷却し、冷却水の水面上ではこの冷却水で濡れた前記被覆電線を外気と接触させ付着している潜熱作用による冷却水を蒸発させ、この潜熱作用により走行中の被覆電線を所望温度に冷却する。
従って、従来例よりも狭い冷却水槽１００で充分に冷却でき、気化の潜熱により、冷却水の温度上昇も或る程度抑制する。【００１９】  一対のプ−リ１０１、１０２間に前記芯線を溶融合成樹脂で被覆した直後の高温状態の被覆電線を複数回にわたりスパイラル状に巻き付ける以前に、被覆電線の外形を前記冷却水槽１００の側壁に設けた外形測定機９０により測定後、この被覆電線を前記冷却水槽１００に供給し、前記冷却水槽１００の水面上において、前記予備冷却装置１０３により、この被覆電線をその外周面で冷却水と接触させ、予備冷却する。
即ち、前記外形測定工程寄りにおいて樋１０４内を流れる冷却水中でこの樋１０４内を走行中の被覆電線を冷却するとともに、この樋１０４の下流端側に位置する他方のプーリー１０２の外周面上で、この他方のプーリ１０２への巻き取り箇所に冷却水を散布ノズル１０５から散布し冷却する。【００２０】  前記一対のプーリ１０１、１０２のうち、前記外形測定工程寄りに位置する一方のプーリ１０１を前記冷却水中に少なくとも半没し、他方のプーリ１０２を前記冷却水面上に位置させ、これらプーリ１０１、１０２間に被覆電線を複数回スパイラル状に巻きつけ、連続走行させて前記冷却を行う。
この際、前記冷却水槽１００の水位は、前記外形測定工程寄りに位置する一方のプーリ１０１を前記冷却水中に少なくとも半没し、他方のプーリ１０２を前記冷却水面上に位置する所望位置となるように、前記水位調整装置１８０により調整され維持される。
すなわち、前記水位調整装置１８０のオーバーフロー管１８１は、その上下軸線方向でスライドされ、前記冷却水槽１００の水位が所望高さになる位置に固定される。従って、前記冷却水の散布に伴い、前記水位をオーバすると、このオーバーフロー管１８１の上端から前記冷却水槽１００内の過剰の冷却水は、流入し、このオーバーフロー管１８１の下端から前期冷却水排水タンク１８２内に流下し、前記排水ポンプ１８３により前記冷却水槽外に排水されるとともに、この排水タンク１８２内の水位が上限水位位置を超えると、前記第二のオーバーフロー部１８３からも過剰な冷却水は排水される。【００２１】  前記樋１０４の下流端側から出てくる被覆電線をこの樋１０４と同一高さに位置する他方のプーリ１０２の大径部１０６面で受け取り、次いで前記引取り工程寄りに位置するプーリ１０１と前記他方のプーリ１０２の小径部１０７間で前記連続走行させる。
前記前記一対のプーリ１０１、１０２を、前記引取り工程における引取り力または前記冷却済みの被覆電線巻き取り工程における巻取力により連れ回りする。【００２２】  前記冷却済みの被覆電線に前記エアブラシ１０８によりエアを吹き付け、付着している水分を除去すると共に、前記冷却水槽１００内に外気を取り込む。
【図面の簡単な説明】
【００２３】
【図１】  電線被覆機の実施の形態の概略平面図である。
【図２】  図１の概略正面図である。
【図３】  冷却水槽の実施の形態の概略正面図である。
【図４】  図３における水位調整装置の拡大平面図である。
【符号の説明】
【００２４】１０  芯線供給用のサプライヤー
２０  繰出器
３０  予熱機
５０  電線被覆装置
６０  リングマーキング装置
７０  ロールマーキング装置
８０  引取機
９０  外形測定機
１００  冷却水槽
１０１、１０２  プ−リ
１０３  予備冷却装置
１０４  樋
１０５  散布ノズル
１０６  大径部
１０７  小径部
１０８  エアブラシ装置
１０９  冷却水供給ノズル
１１０  アキュームレーター装置
１２０  偏芯検出器
１３０  スパークテスター
１４０  検尺機
１５０  巻取機
１７０  テンショナー
１８０  水位調整装置
【図１】
0004967285.tif 000002
【図２】
0004967285.tif 000003
【図３】
0004967285.tif 000004
【図４】
0004967285.tif 000005